【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
ネットワークを介して外部装置とハイパーテキスト転送プロトコルに従って通信を行うカメラサーバであって、
撮像手段により撮像された画像を前記ネットワークを介して配信する画像配信手段と、
音声入力手段と、
前記音声入力手段から入力された音声データを、単位時間毎に区切って圧縮し、前記ハイパーテキスト転送プロトコルに対応した音声パケットを生成する圧縮手段と、
前記圧縮手段により生成された音声パケットを前記ネットワークを介して配信する音声配信手段と、
前記ネットワークを介して、前記外部装置から前記ハイパーテキスト転送プロトコルに対応した音声パケットを受信する受信手段と、
前記受信手段により受信した音声パケットを伸長して音声データを生成する伸長手段と、
前記伸長手段により生成された音声データに基づいて、音声を出力する音声出力手段と
を有することを特徴とするカメラサーバ。
【請求項２】
前記受信手段は、複数のPOSTメソッドによってペイロード部分に付加された音声パケットを前記外部装置から受信することを特徴とする請求項１に記載のカメラサーバ。
【請求項３】
前記外部装置との通信において、各POSTメソッドの終了毎にコネクションＩＤを前記外部装置に送信することを特徴とする請求項２に記載のカメラサーバ。
【請求項４】
前記音声配信手段は、前記外部装置からのGETメソッドに対して、音声パケットをペイロード部分に付加して前記外部装置に送信することを特徴とする請求項１乃至３のいずれか１項に記載のカメラサーバ。
【請求項５】
前記外部装置との通信において、音声パケットの生成時に使用される音声コーデックの種類を示す情報パケットを通信し、前記伸長手段は当該音声コーデックを用いて受信した音声パケットを伸長することを特徴とする請求項１乃至４のいずれか１項に記載のカメラサーバ。
【請求項６】
前記外部装置との通信において、使用可能な音声コーデックの種類を示す情報パケットを通信することを特徴とする請求項１乃至５のいずれか１項に記載のカメラサーバ。
【請求項７】
ネットワークを介してハイパーテキスト転送プロトコルに従って、撮像手段を有するカメラサーバと通信可能な情報処理装置であって、
前記カメラサーバから配信される音声データを受信する音声受信手段と、
前記音声受信手段により受信した音声データを出力する音声出力手段と、
音声入力手段と、
前記音声入力手段から入力した音声データを、単位時間毎に区切って圧縮し、前記ハイパーテキスト転送プロトコルに対応した音声パケットを生成する圧縮手段と、
前記圧縮手段により生成された音声パケットを前記ネットワークを介して前記カメラサーバに送信する音声送信手段と
を有することを特徴とする情報処理装置。
【請求項８】
前記音声送信手段は、各POSTメソッドのペイロード部分に前記生成された音声パケットを付加し、複数のPOSTメソッドによって前記カメラサーバに送信することを特徴とする請求項７に記載の情報処理装置。
【請求項９】
前記カメラサーバとの通信において、各POSTメソッドの終了毎に前記カメラサーバからコネクションＩＤを受信し、次のPOSTメソッドにおいて受信したコネクションＩＤを用いることを特徴とする請求項８に記載の情報処理装置。
【請求項１０】
前記カメラサーバとの通信においてGETメソッドを送信し、前記音声受信手段は、当該GETメソッドに対応して配信されるペイロード部分に付加された音声パケットを前記カメラサーバから受信することを特徴とする請求項７乃至９のいずれか１項に記載の情報処理装置。
【請求項１１】
前記カメラサーバとの通信において、音声パケットの生成時に使用される音声コーデックの種類を示す情報パケットを通信し、前記伸長手段は当該音声コーデックを用いて受信した音声パケットを伸長することを特徴とする請求項７乃至１０のいずれか１項に記載の情報処理装置。
【請求項１２】
前記カメラサーバとの通信において、使用可能な音声コーデックの種類を示す情報パケットを通信することを特徴とする請求項７乃至１１のいずれか１項に記載の情報処理装置。
【請求項１３】
ネットワークを介してハイパーテキスト転送プロトコルに従って通信を行うカメラサーバと情報処理装置とを含むネットワークカメラシステムであって、
前記カメラサーバは、
撮像手段により撮像された画像を前記ネットワークを介して配信する画像配信手段と、
音声入力手段と、
前記音声入力手段から入力された音声データを、単位時間毎に区切って圧縮し、前記ハイパーテキスト転送プロトコルに対応した音声パケットを生成する圧縮手段と、
前記圧縮手段により生成された音声パケットを前記ネットワークを介して配信する音声配信手段と、
前記ネットワークを介して、前記情報処理装置から前記ハイパーテキスト転送プロトコルに対応した音声パケットを受信する受信手段と、
前記受信手段により受信した音声パケットを伸長して音声データを生成する伸長手段と、
前記伸長手段により生成された音声データに基づいて、音声を出力する音声出力手段とを有し、
前記情報処理装置は、
前記カメラサーバから配信される音声を受信する音声受信手段と、
前記音声受信手段により受信した音声を出力する音声出力手段と、
音声入力手段と、
前記音声入力手段から入力された音声を、単位時間毎に区切って圧縮し、前記ハイパーテキスト転送プロトコルに対応した音声パケットを生成する圧縮手段と、
前記圧縮手段により生成された音声パケットを前記ネットワークを介して前記カメラサーバに送信する音声送信手段と
を有することを特徴とするネットワークカメラシステム。
【請求項１４】
コンピュータを、請求項１乃至６のいずれか１項に記載のカメラサーバの各手段として機能させることを特徴とするプログラム。
【請求項１５】
コンピュータを、請求項７乃至１２のいずれか１項に記載の情報処理装置の各手段として機能させることを特徴とするプログラム。
【請求項１６】
請求項１４又は１５に記載のプログラムを記憶したことを特徴とするコンピュータが読み取り可能な記憶媒体。
【手続補正２】
【補正対象書類名】明細書
【補正対象項目名】００１０
【補正方法】変更
【補正の内容】
【００１０】
上記目的を達成するために、ネットワークを介して外部装置とハイパーテキスト転送プロトコルに従って通信を行う本発明のカメラサーバは、撮像手段により撮像された画像を前記ネットワークを介して配信する画像配信手段と、音声入力手段と、前記音声入力手段から入力された音声データを、単位時間毎に区切って圧縮し、前記ハイパーテキスト転送プロトコルに対応した音声パケットを生成する圧縮手段と、前記圧縮手段により生成された音声パケットを前記ネットワークを介して配信する音声配信手段と、前記ネットワークを介して、前記外部装置から前記ハイパーテキスト転送プロトコルに対応した音声パケットを受信する受信手段と、前記受信手段により受信した音声パケットを伸長して音声データを生成する伸長手段と、前記伸長手段により生成された音声データに基づいて、音声を出力する音声出力手段とを有する。
【手続補正３】
【補正対象書類名】明細書
【補正対象項目名】００１１
【補正方法】変更
【補正の内容】
【００１１】
また、ネットワークを介してハイパーテキスト転送プロトコルに従って、撮像手段を有するカメラサーバと通信可能な本発明の情報処理装置は、前記カメラサーバから配信される音声データを受信する音声受信手段と、前記音声受信手段により受信した音声データを出力する音声出力手段と、音声入力手段と、前記音声入力手段から入力した音声データを、単位時間毎に区切って圧縮し、前記ハイパーテキスト転送プロトコルに対応した音声パケットを生成する圧縮手段と、前記圧縮手段により生成された音声パケットを前記ネットワークを介して前記カメラサーバに送信する音声送信手段とを有する。
【手続補正４】
【補正対象書類名】明細書
【補正対象項目名】００１２
【補正方法】変更
【補正の内容】
【００１２】
更に、ネットワークを介してハイパーテキスト転送プロトコルに従って通信を行うカメラサーバと情報処理装置とを含む本発明のネットワークカメラシステムにおいて、前記カメラサーバは、撮像手段により撮像された画像を前記ネットワークを介して配信する画像配信手段と、音声入力手段と、前記音声入力手段から入力された音声データを、単位時間毎に区切って圧縮し、前記ハイパーテキスト転送プロトコルに対応した音声パケットを生成する圧縮手段と、前記圧縮手段により生成された音声パケットを前記ネットワークを介して配信する音声配信手段と、前記ネットワークを介して、前記情報処理装置から前記ハイパーテキスト転送プロトコルに対応した音声パケットを受信する受信手段と、前記受信手段により受信した音声パケットを伸長して音声データを生成する伸長手段と、前記伸長手段により生成された音声データに基づいて、音声を出力する音声出力手段とを有し、前記情報処理装置は、前記カメラサーバから配信される音声を受信する音声受信手段と、前記音声受信手段により受信した音声を出力する音声出力手段と、音声入力手段と、前記音声入力手段から入力された音声を、単位時間毎に区切って圧縮し、前記ハイパーテキスト転送プロトコルに対応した音声パケットを生成する圧縮手段と、前記圧縮手段により生成された音声パケットを前記ネットワークを介して前記カメラサーバに送信する音声送信手段とを有する。